(57)【特許請求の範囲】
【請求項１】
商用電源に通電制御素子を介して温水ヒータや電磁弁等の電力消費手段を常時接続するとともに、商用電源に接続された電源回路から通電制御素子等を制御する制御回路に電源を供給するようにした温水洗浄便座の制御装置において、商用電源と通電制御素子との接続点と、電源回路の間に電源スイッチを配設したことを特徴とする温水洗浄便座の制御装置。
【請求項２】
温水ヒータは、洗浄ノズルに向けて洗浄水を流しながら加熱して温水とする瞬間式加熱手段のヒータであることを特徴とする請求項１記載の温水洗浄便座の制御装置。
【請求項３】
電源スイッチとして着座スイッチを兼用したことを特徴とする請求項１又は２記載の温水洗浄便座の制御装置。
【発明の詳細な説明】
【０００１】
【発明の属する技術分野】
本発明は、温水洗浄便座の制御装置に関し、特に待機電力をゼロにする電源スイッチを備えた制御装置に関するものである。
【０００２】
【従来の技術】
一般に温水洗浄便座の制御装置においては、図４に示すように、商用電源３１からトライアック３２を介して温水ヒータや電磁弁等の電力消費手段３３に電力を供給するとともに、商用電源３１に制御用の電源回路３４を接続し、この電源回路３４からトライアック３２や表示装置３６などを制御する制御回路３５に電源を供給するように構成されている。
【０００３】
また、温水洗浄便座の未使用時の電力を低減して節電を図るようにしたものにおいては、破線で示す部分３７の回路を遮断する手段を設けていた。
【０００４】
また、他の省エネルギーを図る構成としては、図５に示すように、商用電源３１と温水洗浄便座の電気回路との間に電源スイッチ３８を配設し、温水洗浄便座の未使用時にはこの電源スイッチ３８をオフするように構成されていた。
【０００５】
【発明が解決しようとする課題】
しかしながら、上記図４の構成では制御回路３５は作動を継続しており、消費電力は完全にはゼロにはならず、節電効果が十分でないという問題があった。
【０００６】
また、図５の構成では電源スイッチ３８をオフにすると、消費電力は完全にゼロになって完全な節電効果が得られるが、その電源スイッチ３８には温水ヒータなどの電力消費手段３３に流れる大電流をオン・オフする容量のスイッチが必要となり、大型でコスト高になるという問題があった。
【０００７】
本発明は、上記従来の問題点に鑑み、待機電力をゼロにできて完全な節電効果が得られかつそのための電源スイッチが小電流用の小型のもので良く、低コストで構成できる温水洗浄便座の制御装置を提供することを目的としている。
【０００８】
【課題を解決するための手段】
本発明の温水洗浄便座の制御装置は、商用電源に通電制御素子を介して温水ヒータや電磁弁等の電力消費手段を常時接続するとともに、商用電源に接続された電源回路から通電制御素子等を制御する制御回路に電源を供給するようにした温水洗浄便座の制御装置において、商用電源と通電制御素子との接続点と、電源回路の間に電源スイッチを配設したものであり、電源スイッチを切ることによって制御回路に対しても電力供給が停止されるので待機電力をゼロにできて完全な節電効果が得られ、かつ制御回路の停止によって通電制御素子がオフされるので、電力消費手段に対する通電も勿論停止される。また、その電源スイッチは制御用の電源回路の容量に対応すればよいので小電流用の小型のもので良く、低コストで構成することができる。
【０００９】
また、温水ヒータが洗浄ノズルに向けて洗浄水を流しながら加熱して温水とする瞬間式加熱手段のヒータであると、電源スイッチを入れた直後に使用しても快適な使用状態が得られるので、温水洗浄便座の使用直前に電源スイッチを入れ、それ以外のときは常に電源スイッチをオフしておくことができ、使い勝手良く節電効果を確保できる。
【００１０】
また、電源スイッチとして着座スイッチを兼用すると、使用者が便座に座ったときに電源スイッチがオンし、それ以外のときはオフされるので、電源スイッチを一々操作しなくてもよく、一層使い勝手よく節電することができる。
【００１１】
【発明の実施の形態】
以下、本発明の温水洗浄便座の制御装置の一実施形態について、図１〜図３を参照して説明する。
【００１２】
温水洗浄便座の全体構成を示す図２において、１は本体、２は便座、３は便蓋であり、４はトイレ室の側壁に設置されたリモコンである。５は節電用の電源スイッチで、操作ボックス６の本体１の一側面１ａから常時突出している部分に配置されている。この操作ボックス６は、図示の如く本体１内に収納した状態と側方に引き出した状態との間で出退可能に本体１に装着されており、リモコン４の電池切れ等により不調の場合に操作ボックス６を引き出してスイッチ操作できるように構成されている。７は便座２に配設された着座スイッチであり、使用者が便座２上に座ったときにこれを検出し、本体１内の所要の手段が洗浄のための予備動作を開始するように構成されている。
【００１３】
本体１には瞬間式加熱手段を備えた温水洗浄手段が内蔵されている。この温水洗浄手段においては、図３に示すように、水道端末から逆止弁１１、定流量弁１２を介して電磁弁１３に給水され、洗浄時に電磁弁１３から真空破壊弁１４、水ポンプ１５、流量センサ１６を介して瞬間式加熱手段１７に送給され、所定温度に加温された洗浄水がノズルユニット１８にて局部に向けて噴射するように構成されている。
【００１４】
瞬間式加熱手段１７は、温水ヒータとしてのセラミックヒータを蛇行状の熱交換流路に臨ませて構成されている。そして、出口での湯温をサーミスタで検出してセラミックヒータに対する通電制御を行い、さらにサーモスイッチを設けて湯温が一定温度以上になるとセラミックヒータと水ポンプ１５を停止させるようにして異常時にも高温の洗浄水が局部に噴射されないように構成されている。
【００１５】
図１において、本体１には商用電源２１から電力が供給されており、商用電源２１から通電制御素子としてのトライアック２２を介して瞬間式加熱手段１７のセラミックヒータや電磁弁１３等の電力消費手段２３に電力を供給するとともに、商用電源２１に制御用の電源回路２４を接続し、この電源回路２４からトライアック２２や表示装置２６などを制御する制御回路２５に電力を供給するように構成されている。そして、商用電源２１とトライアック２２の接続点２７と電源回路２４の間に電源スイッチ５が配設されている。
【００１６】
以上の構成において、電源スイッチ５を切ることによって電源回路２４を介して制御回路２５及び表示装置２６等に対しても電力供給が停止されるので待機電力をゼロにできて完全な節電効果が得られる。また、制御回路２５の停止によってトライアック２２がオフされるので、電力消費手段２３に対する通電も勿論停止される。また、その電源スイッチ５は制御用の電源回路２４の容量に対応すればよいので小電流用の小型のもので良く、低コストで構成することができる。
【００１７】
また、本実施形態はノズルユニット１８に向けて洗浄水を流しながら加熱して温水とする瞬間式加熱手段１７を備えた温水洗浄便座であるので、電源スイッチ５を入れた直後に使用しても快適な使用状態が得られるので、温水洗浄便座の使用直前に電源スイッチ５を入れ、それ以外のときは常に電源スイッチ５をオフしておくことができ、使い勝手良く節電効果を確保できる。
【００１８】
上記実施形態では、操作ボックス６の本体１の一側面１ａから突出した部分に設けた電源スイッチ５をオン・オフするようにしたが、図２に破線で示すように、便座３に設けられた着座スイッチ７を電源スイッチとして兼用してもよく、そうすると使用者が便座に座ったときに電源スイッチがオンし、それ以外のときはオフされるので、電源スイッチ５を一々操作しなくてもよく、一層使い勝手よく節電することができる。
【００１９】
また、上記実施形態では瞬間式加熱手段を備えた温水洗浄便座の例を説明したが、本発明は温水タンク方式の温水洗浄便座に適用することもできる。すなわち、所定水量の温水を貯えるとともに内蔵した加熱ヒータにて所定の水温に制御可能に構成された温水タンクを備え、洗浄時には給水手段にて温水タンク内に給水することによって温水タンク内の温水を押し出してノズル手段に向けて圧送するように構成された温水洗浄便座においても、長時間外出時などに電源スイッチにて加熱ヒータに対する通電を停止しておくことによって節電を図ることができる。また、温水タンク内の洗浄水は、通例では電源スイッチをオンして加熱ヒータに通電を開始した後略５分程度以内に所定の水温まで加熱することができるので、使用時に電源スイッチをオンした場合でも、それ程の不都合なく使用することができる。
【００２０】
【発明の効果】
本発明の温水洗浄便座の制御装置によれば、以上の説明から明らかなように、商用電源と通電制御素子の接続点と、制御用の電源回路との間に電源スイッチを配設したので、電源スイッチを切ることによって制御回路に対する電力供給が停止されるので待機電力をゼロにできて完全な節電効果が得られ、かつその電源スイッチは制御用の電源回路の容量に対応すればよいので小電流用の小型のもので良く、低コストで構成することができる。
【００２１】
また、温水ヒータが洗浄ノズルに向けて洗浄水を流しながら加熱して温水とする瞬間式加熱手段のヒータであると、温水洗浄便座の使用直前に電源スイッチを入れ、それ以外のときは常に電源スイッチをオフしておくことができ、使い勝手良く大きな節電効果を確保できる。
【００２２】
また、電源スイッチとして着座スイッチを兼用すると、使用者が便座に座ったときに電源スイッチがオンし、それ以外のときはオフされるので、電源スイッチを一々操作しなくてもよく、一層使い勝手よく節電することができる。
【図面の簡単な説明】
【図１】本発明の温水洗浄便座の制御装置の一実施形態の構成図である。
【図２】同実施形態の温水洗浄便座の全体斜視図である。
【図３】同実施形態の温水洗浄便座の洗浄水噴射系の構成図である。
【図４】従来例の温水洗浄便座の制御装置の構成図である。
【図５】他の従来例の温水洗浄便座の制御装置の構成図である。
【符号の説明】
５  電源スイッチ
７  着座スイッチ
１３  電磁弁
１７  瞬間式加熱手段
２１  商用電源
２２  トライアック（通電制御素子）
２３  電力消費手段
２４  電源回路
２５  制御回路
２７  接続点
【図１】
0004546585.tif 000002
【図２】
0004546585.tif 000003
【図３】
0004546585.tif 000004
【図４】
0004546585.tif 000005
【図５】
0004546585.tif 000006